(57)【特許請求の範囲】
【請求項１】
上面が開口された箱体における前記開口部を、取外し可能又は１側端を中心として上下に回動可能な天板により閉塞するとともに、この天板の直下に、前後左右のいずれかの方向に引き出したときに商品の陳列が可能な補助天板を設け、該補助天板の引き出し方向の端面に、補助天板を案内している両側板の端面上部と、天板における補助天板の引き出し方向側の端面とをほぼ覆い得る大きさのノブ片を設けたことを特徴とする商品陳列台。
【請求項２】
箱体の対向する両側板の内面上部に、一対のレール部材を設け、このレール部材に、補助天板の両側縁部を摺動可能に嵌合した請求項１に記載の商品陳列台。
【発明の詳細な説明】
【０００１】
【発明の属する技術分野】
本発明は、例えばパン等の食品や書籍などを陳列する箱形の陳列台に関する。
【０００２】
【従来の技術】
従来、この種の陳列台としては、商品陳列用の天板を単に固定的に取付けたものや、全面に引き出しを設けて、天板の空間にストック用の商品を収納し得るようにしたものがある。
【０００３】
【発明が解決しようとする課題】
しかしながら、上述のように、天板を固定的に取付けた陳列台では、陳列面積は一定であるため、陳列商品の数量が制限される。
【０００４】
また、引き出しが設けられているものでは、陳列台の前方に引き出しを引き出すための広いスペースを確保しておく必要があるため、大きな設置スペースを要する。
【０００５】
本発明は、このような問題点に着目してなされたもので、多くの商品を陳列可能とするとともに、上方を開口して、上方より陳列台内への商品の出し入れを可能とした、設置スペースの小さな商品陳列台を提供することを目的とする。
【０００６】
【課題を解決するための手段】
上記課題を解決するために、本発明の商品陳列台は、上面が開口された箱体における前記開口部を、取外し可能又は１側端を中心として上下に回動可能な天板により閉塞するとともに、この天板の直下に、前後左右のいずれかの方向に引き出したときに商品の陳列が可能な補助天板を設け、該補助天板の引き出し方向の端面に、補助天板を案内している両側板の端面上部と、天板における補助天板の引き出し方向側の端面とをほぼ覆い得る大きさのノブ片を設けたことを特徴としている。
この特徴によれば、天板により開口部を閉塞した状態で補助天板を引き出すことにより、陳列商品の量に応じて、補助天板の引き出し寸法を適宜に調整することもできる。
さらに、陳列台の周囲には、補助天板の引き出しに必要な上下寸法の小さなスペースのみを確保しておけばよく、省スペースが図れる。
補助天板を引き出した状態で天板を取り外すか、又は上向きに回動すると、箱体の上面が開口されて商品の出し入れを行うことができ、また、この引き出し作業時に、引き出した補助天板に一時的に商品を載置しておくこともできる。更に両側板の端面上部及び天板の端面がノブ片により隠蔽されるので、外観的体裁が向上するとともに、補助天板上に陳列した商品の落下防止にもなる。
【０００７】
本発明の商品陳列台は、箱体の対向する両側板の内面上部に、一対のレール部材を設け、このレール部材に、補助天板の両側縁部を摺動可能に嵌合することが好ましい。
このようにすれば、補助天板を安定的に引き出すことができるだけでなく、引き出した補助天板に商品を陳列しても、補助天板が上下にぐらつくこともなくなる。
【０００９】
【発明の実施の形態】
以下、本発明の実施例を図面に基づいて説明すると、まず図１には本発明の実施例としての商品陳列棚１の斜視図が示されており、下端に箱体６が設けられ、その上方に格子網付き支持枠部３と、パネル４を有する支持枠部２と、この支持部２にブラケットを介して載置される棚板５とからなる棚部が延びている。
【００１０】
格子網付き支持枠部３は、支持枠部２で支持されたパネル４と直角に突き当てられた状態で床面から上方に延びており、また、支持枠部２における両端部は、棚板５を載置するためのブラケットを係止するための係止穴８が形成されている。
【００１１】
図２は、本発明の実施例としての商品陳列棚１の格子網付き支持枠部３とパネル４を有する支持枠部２と、天板１２を有する箱体６との組立構造図が示されており、格子網付き支持枠部３と、パネル４を有する支持枠部２とは、それぞれ下方に配置された箱体６によって立設支持されるようになっている。
【００１２】
すなわち、図２の左に示されるように格子網付き支持枠部３は、ネジ部材３７によって箱体６にその下端部に設けられた固定板１０に固定され、また、支持枠体２もその下方に配置された箱体６に挟まれるように支持されており、ネジ部材３８によって、下端部が固定されている。
【００１３】
また、支持枠部２と格子網付き支持枠部３とは、直角に当接した状態で、その上下部でネジ部３４によって固定されている。
【００１４】
図３、図４、図５は本発明の実施例としての商品陳列棚１の箱体６の斜視図が示されており、その箱体６の構造が詳細に示されている。
【００１５】
まず図３に示されるように、箱体６は、前面板１５と背面板１７と左右の側板２１とで枠組みされ、上面が開口されており、側板２１に設けられているダボピン１１により天板１２がこの開口部に取り外し可能に固定されている。
【００１６】
さらに、その天板１２の直下にノブ片１４を有する補助天板１３が箱体６の前方向に引き出し可能に設けられている。すなわち、ノブ片１４を有する補助天板１３は、その側部に凸条部材１８が設けられており、図４に示されているように、側板２１内側面に形成されているコ字状レール１９で補助天板１３が前後に案内されるようになっている。また、ノブ片１４は、常時、天板１２の端面をほぼ覆う構造になっている。
【００１７】
天板１２の裏面２２に形成されているダボピン嵌合用の穴は、ダボピン１１の太さよりやや大きめに形成されているため、天板１２の取り外しが容易にできるようになっている。これにより、箱体６内の空間に商品を収納したり、収納した商品を取り出す作業を、天板１２の取り外しとともに、補助天板１３を図５のように前方へ引き出すことで、容易に対応できる。
【００１８】
さらに、この商品陳列棚の使用時について説明すると、通常、図３に示すような天板１２の上だけに商品が陳列されていている場合、天板１２の上のスペースには、限界があり、ここに売れ筋商品を陳列するとすぐに補充しなければならないため、商品補充の作業が負担になる。
【００１９】
そこで、図３で示すように、天板１２を閉塞してまま、図５に示すように補助天板１３を前方へ引き出し、補助天板１３上に商品を陳列することで、陳列棚の面積が、補助天板１３の面積分だけが広がり、その面積分だけ多くの商品を陳列することができ、商品の補充回数が減り、作業の負担も軽くできる。また、売れ筋商品ばかりでなく、広い陳列面積を必要とする商品についても、同様に陳列棚の面積を大きくすることで、対応できる。
【００２０】
ここで、陳列商品の配置換え等で、広い陳列棚が必要でなくなったときは、補助天板１３を後方へ収納することで、陳列棚の縮小の要求に対し簡単に対応することができる。
【００２１】
さらに、補助天板１３を陳列棚として使用時に、箱体６内に在庫品を収納するときは、まず、天板１２上に陳列してある商品の移動先を確保してから商品を移動しなければならないが、引き出された補助天板１３と床との間に、スペースが確保できるため、一時的にそのスペースに商品を載置できることから、その陳列商品の移動先を別途に確保しなくてもよいため、箱体６内への収納作業を効率よく行うことができる。
【００２２】
また、補助天板１３を陳列棚として使用していないときは、商品を補助天板１３の下方の床ばかりでなく補助天板１３の上面にも、載置できるため、在庫品の収納作業を行うこともできる。
【００２３】
さらに、箱体６内に収納してある在庫品を取り出して陳列棚に陳列作業を行うとき、取り外した天板１２の移動先や取り出された商品の載置場所を確保しなければならないか、補助天板１３を陳列棚として使用していないとき等は、補助天板１３の上面に天板１２上の陳列商品を一時的に載置でき、またこの天板１２上もしくは、補助天板１３の上面に取り出した在庫品を一時的に載置することもできる。
【００２４】
補助天板１３を引き出して商品陳列棚として使用、または、一時的に載置する場合でも、補助天板１３には、引き出し方向の先端にノブ片１４が形成されているため、商品がそのノブ片１４に遮られ、補助天板１３からの落下が防止される。
【００２５】
さらに、そのノブ片１４を見栄えの良い一枚板で、しかも、やや大きめに成形することで、両側板２１の端面上部と天板１２の端面の境目を隠蔽することができるため、スッキリした外観を提供でき、外観的体裁も向上する。
【００２６】
以上、本発明の実施例を図面により説明してきたが、具体的な構成はこれら実施例に限られるものではなく、本発明の要旨を逸脱しない範囲における変更や追加があっても本発明に含まれる。
【００２７】
例えば、天板は取り外し可能になっているが、天板の後端部を中心に回動可能にすることもある。
【００２８】
【発明の効果】
本発明は以下の効果を奏する。
【００２９】
（ａ）請求項１項の発明によれば、天板により開口部を閉塞した状態で補助天板を引き出すことにより、陳列商品の量に応じて、補助天板の引き出し寸法を適宜に調整することもできる。
さらに、陳列台の周囲には、補助天板の引き出しに必要な上下寸法の小さなスペースのみを確保しておけばよく、省スペースが図れる。
補助天板を引き出した状態で天板を取り外すか、又は上向きに回動すると、箱体の上面が開口されて商品の出し入れを行うことができ、また、この引き出し作業時に、引き出した補助天板に一時的に商品を載置しておくこともできる。更に両側板の端面上部及び天板の端面がノブ片により隠蔽されるので、外観的体裁が向上するとともに、補助天板上に陳列した商品の落下防止にもなる。
【００３０】
（ｂ）請求項２項の発明によれば、補助天板を安定的に引き出すことができるだけでなく、引き出した補助天板に商品を陳列しても、補助天板が上下にぐらつくこともなくなる。
【図面の簡単な説明】
【図１】本発明の適用された商品陳列棚の斜視図である。
【図２】商品陳列棚の格子網付き支持枠部とパネルを有する支持枠部と、天板を有する箱体組立構造図である。
【図３】商品陳列棚の箱体の斜視図である。
【図４】商品陳列棚の箱体の斜視図である。
【図５】商品陳列棚の箱体の斜視図である。
【符号の説明】
１                   商品陳列棚
２                    支持枠部
３                   格子網付き支持枠部
４                   パネル
５                   棚板
６                   箱体
８                   係止穴
１０                 固定板
１１                 ダボピン
１２                 天板
１３                 補助天板
１４                 ノブ片
１５                 前面板
１７                 背面板
１８                 凸条部材
１９                 コ字状レール
２１                 側板
２２                 裏面
３４，３７，３８       ネジ部材
【図１】
0004593723.tif 000002
【図２】
0004593723.tif 000003
【図３】
0004593723.tif 000004
【図４】
0004593723.tif 000005
【図５】
0004593723.tif 000006